(57)【要約】【課題】  女性の尿を携帯可能の簡単な拡大鏡のレンズ面に塗布、自然乾燥し、排卵日にピークを向える針状結晶体を観察することにより、排卵日を測定できるようにするものである。【解決手段】  卵胞ホルモンは排卵日の１週間〜１０日前位から分泌が始まる。その分泌量の増加と共に、尿中に針状結晶が出現し上記排卵日に向けて生長し次第に顕著な結晶体を形成する。一方、排卵日３日〜４日位より黄体ホルモンの分泌が始まり、その分泌量が卵胞ホルモンの分泌量を超えるとき、すなわちお互いの分泌量を示す曲線が重なり合う時に最大の顕著な結晶体を形成し、直後に結晶体が消滅する一連の現象を携帯可能の低倍率の拡大鏡により測定するものである。【選択図】  図１
2005257439.tif 000002
【特許請求の範囲】
【請求項１】
尿中に卵胞ホルモンの分泌上における針状の結晶体が出現し、次第に成長し、その後黄体ホルモンの分泌量が増加して、該針状の結晶体が消滅する現象を、携帯可能な低倍率の拡大鏡で測定することを特徴とする排卵日測定方法。
【発明の詳細な説明】
【技術分野】
【０００１】
本発明は女性の排卵日を測定する方法に関し、本発明は排卵日に尿中に出現する結晶体を携帯用の拡大鏡により簡明に測定するものである。
【背景技術】
【０００２】
排卵日の測定に関しては種々な方法が提案されているが、そのうちで人体の分泌液を用いてするものに次のものがある。すなわち、排卵日頃に唾液のシアル酸の結晶が羊歯類の形状にて形成されるので、これを拡大鏡により拡大透視し排卵日を測定する発明が特開平０８−６８７９０で開示されている。
【特許文献１】特開平０８−６８７９０号公報
【発明の開示】
【発明が解決しようとする課題】
【０００３】
本発明は前記特許文献と異なり、尿中に分泌される物質の結晶体を用いるものであるが、唾液では飲食物の関係で測定結果に影響を受けることに懸念がある。  
【課題を解決するための手段】
【０００４】
本発明は、尿を自然乾燥して拡大鏡にて観察するために課題を解決することができる。
本発明は表１によって説明される排卵日に向って写真１から写真６と次第に顕著に現われる結晶を観察することで正確に課題が解決される。
【０００５】
表１を説明すると、卵胞ホルモンＹは排卵日１週間くらい前より緩やかに上昇してその後次第に減衰する。
一方、黄体ホルモンXは排卵日の３〜４日前より急速に上昇して卵胞ホルモンと交差し、その後最大値になり減衰することを示している。
【０００６】
【表１】
2005257439.tif 000003
【０００７】
図３〜図８は尿を標本レンズに１滴垂らし自然乾燥して現れた結晶体を拡大鏡（75倍）で観察した写真である。
図８に顕著に表れた針状の結晶体は、両端部が三角形状の棒状単体で、重なることによりL字形、十字形等に見える。写真１から図８に進むにつれて針状結晶体が集合し大きく成長することがうかがえる。
【０００８】
針状結晶体の物質は現在未解明である。結晶はアルカリ尿で認められるリン酸カルシウム結晶に類似するところがあるが不明である。
【０００９】
図８の大きく成長した針状結晶体は、前記卵胞ホルモンYと黄体ホルモンXの曲線の交差時、すなわち、排卵の前後に現れている。
この交差時直後に卵胞ホルモンＹがまだ分泌されているのにも係わらず、結晶体は消滅する。
したがって、尿を標本レンズ上で自然乾燥し固定することで排卵の存在を知ることができることになる。
【００１０】
拡大鏡は図１、図２に示すような太目のボールペン大のもので、携帯及び使用に簡単とし、個人で採尿時に使用できるようにしている。
【発明の効果】
【００１１】
本発明によれば、針状結晶体の形態を認識していれば、個人で排卵期を予測できる効果がある。
【実施例１】
【００１２】
拡大鏡（以下、ペンシル・スコープという。）図１に示すように、直系12mm・長さ15mmの中空棒状体で、接眼レンズ部分Aと、接眼部分Aの回転位置を固定するストッパーリングBと、ペンシル・スコープ本体Cと、標本レンズホルダーDと、キャップEとから成り立っている。
標本レンズホルダーＤは図２に示すように、ペンシル・スコープ本体Ｃへ挿入するレンズホルダー１に同本体Ｃ内面に嵌合するゴム製Ｏリング２を外着し、つづいて標本レンズ３が嵌め込まれて成り立っている。
【００１３】
ペンシル・スコープによる使用は、ペンシル・スコープ本体Cに嵌め込まれている標本レンズホルダーDを残してキャップEを外す。次に標本レンズホルダーDを引き抜きレンズ３の中心部に尿滴を落とし、自然乾燥してレンズ３面に固着させる。
標本レンズホルダーDを再びペンシル・スコープ本体Cに嵌め込みゴム製Ｏリング２により定着させる。
そして、ペンシル・スコープ本体Cを握り、標本レンズホルダーDを光源に向け、接眼レンズ部分Aを回してピントを合わせ、ピントが合うとストッパーリングBを回してピントを固定する。
そして図３〜図８と照合して測定する。標本レンズ３は柔らかい布などで清拭できる。
【産業上の利用可能性】
【００１４】
排卵日を携帯用の拡大鏡によって測定できる簡便性により、排卵日を場所と手数と煩わしさをかけないで把握することができると共に、排卵日をめぐる諸問題の解明に貢献するものである。
【図面の簡単な説明】
【００１５】
【図１】本発明に用いるペンシル・スコープの正面図。
【図２】図１中の標本レンズホルダーDの正面図。
【図３】針状結晶の成長を示す拡大鏡による写真
【図４】針状結晶の成長を示す拡大鏡による写真
【図５】針状結晶の成長を示す拡大鏡による写真
【図６】針状結晶の成長を示す拡大鏡による写真
【図７】針状結晶の成長を示す拡大鏡による写真
【図８】針状結晶の成長を示す拡大鏡による写真
【符号の説明】
【００１６】
Ａ：接眼レンズ部分
Ｂ：ストッパーリング
Ｃ：ペンシル・スコープ本体
Ｄ：標本レンズホルダー
Ｅ：キャップ
１：レンズホルダー
２：ゴム製Ｏリング
３：標本レンズ
【図１】
2005257439.tif 000004
【図２】
2005257439.tif 000005
【図３】
2005257439.tif 000006
【図４】
2005257439.tif 000007
【図５】
2005257439.tif 000008
【図６】
2005257439.tif 000009
【図７】
2005257439.tif 000010
【図８】
2005257439.tif 000011
【手続補正書】
【提出日】平成16年3月24日(2004.3.24)
【手続補正１】
【補正対象書類名】明細書
【補正対象項目名】０００４
【補正方法】変更
【補正の内容】
【０００４】
本発明は、尿を自然乾燥して拡大鏡にて観察するために課題を解決することができる。
本発明は表１によって説明される排卵日に向って図３から図８と次第に顕著に現れる結晶を観察することで正確に課題が解決される。
【手続補正２】
【補正対象書類名】明細書
【補正対象項目名】０００７
【補正方法】変更
【補正の内容】
【０００７】
図３〜図８は尿を標本レンズに１滴垂らし自然乾燥して現れた結晶体を拡大鏡（75倍）で観察した写真である。
図８に顕著に現れた針状の結晶体は、両端部が三角形状の棒状単体で、重なることによりＬ字形、十字型等に見える。図３から図８に進むにつれて針状結晶体が集合し大きく成長することがうかがえる。
【手続補正書】
【提出日】平成17年4月11日(2005.4.11)
【手続補正１】
【補正対象書類名】特許請求の範囲
【補正対象項目名】請求項１
【補正方法】変更
【補正の内容】
【請求項１】
尿中に卵胞ホルモンの分泌過程において尿素もしくは尿素を含む成分を主成分とする結晶が出現し、次第に該結晶が成長し、その後、黄体ホルモンの分泌量の増加により該結晶が消滅する現象を、携帯可能な低倍率の拡大鏡で観測することにより、排卵日を測定することを特徴とする排卵日測定方法。
【手続補正２】
【補正対象書類名】明細書
【補正対象項目名】０００８
【補正方法】変更
【補正の内容】
【０００８】
針状結晶体は、顕微透過法（KBrプレート法）による測定で、結晶の主成分は尿素もしくは尿素を含む成分であり、エストロジェンが含まれていないかは非常に微量で検出できないという分析結果が出ている。